(57)【要約】【課題】  オペレーター等が、外出先や自宅等の遠隔地で、自社工場で稼働する機械の稼働状況を監視可能に構成し、作業能率のアップや加工コストの低廉化を図り、ひいてはビッグデータ化やＩｏＴ化の実現にも役立つようにする。【解決手段】  数値制御装置２付き工作機械１の稼働状況の表示部２ａに表示されるデータをインターネット回線５を介して携帯端末３で受信可能に構成する。インターネット回線５を介してアプリケーションを配信するアプリストア４が、データの遠隔監視用アプリケーション４ａを備える。遠隔監視用アプリケーション４ａは、データに対応する監視項目４ａ１〜４ａ５を有する。アプリストア４から携帯端末３にダウンロードされて表示される監視項目４ａ１〜４ａ５をタップすると、その監視項目４ａ１〜４ａ５に対応する指令が回線５を介して数値制御装置２に送られ、数値制御装置２の表示部２ａの表示内容と同じ内容が携帯端末３に表示される。【選択図】      図１
0003232779.tif 000002
【実用新案登録請求の範囲】
【請求項１】
数値制御装置付き工作機械の稼働状況の表示部に表示されるデータを、インターネット回線を介して携帯端末で受信可能に構成されている工作機械用稼働状況遠隔監視装置であって、インターネット回線を介してアプリケーションを配信するアプリストアが上記データの遠隔監視用アプリケーションを備え、遠隔監視用アプリケーションは上記のデータに対応する監視項目を有し、上記のアプリストアから携帯端末にダウンロードされて表示される監視項目をタップすると、その監視項目に対応する指令がインターネット回線を介して上記の数値制御装置に送られ、数値制御装置の表示部の表示内容と同じ内容が携帯端末に表示されることを特徴とする工作機械用稼働状況遠隔監視装置。
【請求項２】
請求項１記載の工作機械用稼働状況遠隔監視装置であって、遠隔監視用アプリケーションに工作機械の遠隔操作項目が含まれ、アプリストアから携帯端末にダウンロードされて表示される遠隔操作項目をタップすると、その遠隔操作項目に対応する指令がインターネット回線を介して数値制御装置に送られ、数値制御装置の演算制御部で、表示部に表示されるデータの変更指令に変換され、携帯端末を介して工作機械の表示部に表示されるデータを変更可能に構成されていることを特徴とする工作機械用稼働状況遠隔監視装置。
【考案の詳細な説明】
【技術分野】
【０００１】
本考案は、遠隔監視装置に関し、更に詳しくは例えばＣＮＣ工作機械の稼働状況を、工作機械から離れた場所でスマートフォンやタブレット端末を利用して監視できるよう構成した工作機械用稼働状況遠隔監視装置に関するものである。
【背景技術】
【０００２】
従来、ＣＮＣ（computerized numerical control）機能付き工作機械の稼働状況を確認する場合は、付設されている数値制御装置の表示部を、オペレーターが直接見て行うのが通例であった。
従って、従来、オペレーターは、稼働状況の確認、把握のため、常時、この種機械の傍に待機する必要があった。
【０００３】
そのため、従来は、オペレーターの行動範囲が制約され、デッドタイムが生じ易くなったから、作業能率が低下し易い、という問題点があった。
また従来は、このようなシステムのため、加工データを共有したり、連携させて付加価値を創出するのが難しかった。その結果、従来技術によると、ビッグデータ化やＩｏＴ（Internet of Things）化を実現しにくい、という問題点があった。
【０００４】
而して、従来、工作機械を制御する数値制御装置とパソコンをネットワークで接続したシステムも知られている（例えば特許文献１参照）。
この従来システムは、数値制御装置から工作機械の稼働状況のデータをパソコンに送信し、パソコンが工作機械の稼働状況のデータを、収集、記録するよう構成しているものである。
【０００５】
しかし、この従来技術の場合は、パソコンに専用ソフトを組み込む必要があり、またパソコンによるため、手軽さに欠け、使い勝手が悪い、という問題点があった。
【先行技術文献】
【特許文献】
【０００６】
【特許文献１】特開２００４−５４７０１号公報
【考案の概要】
【考案が解決しようとする課題】
【０００７】
本考案は、このような従来技術の問題点に鑑み、提案されたものである。
従って本考案の解決しようとする技術的課題は、オペレーターや工場の責任者等が、外出先や自宅等の遠隔地で、自社工場で稼働する機械の稼働状況を監視可能に構成し、作業能率のアップや加工コストの低廉化を図り、ひいてはビッグデータ化、ＩｏＴ化の実現にも役立つよう構成した工作機械用稼働状況遠隔監視装置を提供することにある。
【課題を解決するための手段】
【０００８】
本考案は、上記の課題を解決するため、次のような技術的手段を採る。
即ち本考案は、図１等に示されるように、数値制御装置２付き工作機械１の稼働状況の表示部２ａに表示されるデータを、インターネット回線５を介して携帯端末３で受信可能に構成されている工作機械用稼働状況遠隔監視装置であって、インターネット回線５を介してアプリケーションを配信するアプリストア４が上記データの遠隔監視用アプリケーション４ａを備え、遠隔監視用アプリケーション４ａは上記のデータに対応する監視項目４ａ１〜４ａ５を有し、上記のアプリストア４から携帯端末３にダウンロードされて表示される監視項目４ａ１〜４ａ５をタップすると、その監視項目４ａ１〜４ａ５に対応する指令がインターネット回線５を介して上記の数値制御装置２に送られ、数値制御装置２の表示部２ａの表示内容と同じ内容が携帯端末３に表示されることを特徴とする（請求項１）。
【０００９】
ここで、工作機械１としては、例えばマシニングセンター、切削加工機、射出成型機、放電加工機等がある。アプリストア４としては、例えばGooglePlay（登録商標）、AppleStore（登録商標）などがある。監視項目４ａ１〜４ａ５としては、例えば切削ドリルのオンオフ状態や各種センサの異常発生情報などがある。監視項目４ａ１〜４ａ５は、５項目に限定されるものではない。携帯端末３の表示画面３ａ（図２参照）をスクロールすることで、他の項目が表示されるよう構成されるので良い。なお、携帯端末３としては、スマートフォンやタブレット端末がある。
【００１０】
而して、本考案の装置は、図１に示されるように、遠隔監視用アプリケーション４ａに工作機械１の遠隔操作項目４ｂが含まれ、アプリストア４から携帯端末３にダウンロードされて表示される遠隔操作項目４ｂをタップすると、その遠隔操作項目４ｂに対応する指令がインターネット回線５を介して数値制御装置２に送られ、数値制御装置２の演算制御部２ｃで、表示部２ａに表示されるデータの変更指令に変換され、携帯端末３を介して工作機械１の表示部２ａに表示されるデータを変更可能に構成されているのでも良い（請求項２）。
【００１１】
なぜならこれによれば、工作機械１を遠隔制御でき、データの変更のために工場に出向く必要がないから、加工効率、製造効率が良くなり、またコストの低減化を図ることができるからである。
【考案の効果】
【００１２】
本考案は、このように遠隔監視用アプリケーションを、インターネット回線を介してアプリストアから携帯端末にダウンロードし、携帯端末に表示される監視項目をタップすることで監視項目に対応する指令がインターネット回線を介して工作機械の数値制御装置に送られ、数値制御装置の表示部の表示内容と同じ内容が携帯端末に表示可能に構成されている。
【００１３】
従って、本考案を使用すれば、工場責任者等が、外出先や自宅等の遠隔地で、スマートフォン等の携帯端末で、インターネット回線を利用して稼働状況を容易に監視、確認できる。
【００１４】
また本考案は、携帯端末のアイコンのタップ操作で送受信が完了する。
従って、これによると、操作を簡単化、迅速化、明確化でき、使い勝手が良くなる、という利点がある。
また本考案によれば、ビッグデータ化やＩｏＴ化の実現にも寄与できるものである。
【図面の簡単な説明】
【００１５】
【図１】本考案の装置の好適な一実施形態を示すブロック図である。
【図２】同上装置の携帯端末の表示状態を示す説明図である。
【図３】同上装置のフローチャートである。
【考案を実施するための形態】
【００１６】
以下、本考案を実施するための好適な一実施形態を添付図面に従って説明する。
図１は、本考案装置の概要図である。１は工作機械であり、２はこの工作機械１に付設されている数値制御装置である。この実施形態の場合、工作機械１は、マシニングセンターである。
【００１７】
また本考案は、数値制御装置２と携帯端末３との通信に使用する遠隔監視用アプリケーション４ａを備えている。この遠隔監視用アプリケーション４ａは、アプリストア４に登録されている。アプリストア４は、各種のアプリケーションを、インターネット回線５を介して配信する機能を持つ。このアプリストア４としては、例えばGooglePlay（登録商標）や、AppleStore（登録商標）などがある。
【００１８】
上記の数値制御装置２は、データの入力情報や稼働状況を表示する表示部２ａと共に、インターネット回線５を介してデータを送受信できる通信装置２ｂを備えて形成されている。数値制御装置２は、周辺装置６と接続されていると共に、Ｗｉ−Ｆｉやルーター等の通信機器７を介して、例えば工場内のコンピュータ８と接続されている。なお、９はモデムである。
【００１９】
携帯端末３としては、例えばスマートフォンやタブレット端末がある。携帯端末３は、１台には限られず、複数で良い。
【００２０】
また上記の遠隔監視用アプリケーション４ａは、数値制御装置２の表示部２ａに表示されるデータに対応する監視項目４ａ１〜４ａ５を備えている。監視項目４ａ１〜４ａ５は、この実施形態では５項目に選定されている。
【００２１】
本考案の場合、オペレーターや工場責任者等の使用者は、先ず上記のアプリストア４に登録されている遠隔監視用アプリケーション４ａを、携帯端末３にダウンロードする。次に使用者は、遠隔監視用アプリケーション４ａを起動し、携帯端末３に表示される監視項目４ａ１〜４ａ５中の任意の項目をタップする。
【００２２】
すると、遠隔監視用アプリケーション４ａが働き、監視項目４ａ１〜４ａ５に対応する指令がインターネット回線５を介して上記の数値制御装置２に送られる。数値制御装置２は、指令を受けると、表示部２ａのデータを、インターネット回線５を介して携帯端末３に送信する。これにより、表示部２ａの表示内容と同じ内容が携帯端末３に表示される。
【００２３】
図２は、本考案の一連の操作手順の説明図である。また図３は、操作のフローチャートである。
【００２４】
次に、本考案装置の具体的な使用例を説明する。
先ず、工場責任者等の使用者は、携帯端末３であるスマートフォンに、アプリケーションの配信サービスであるアプリストア４としての、例えばGooglePlay（登録商標）に登録されている遠隔監視用アプリケーション４ａをダウンロードし、インストールする。購入代金の支払いは、例えばクレジットカード等で行う。
【００２５】
次に、使用者は、スマートフォンの表示画面３ａのアイコン３ｂをタップする。これにより、遠隔監視用アプリケーション４ａが起動し、各種の監視項目４ａ１〜４ａ５が表示される。
【００２６】
次に、使用者は、表示された監視項目４ａ１〜４ａ５中の任意の項目をタップする。そして、ＥＤＩＴ画面にて、ＩＰ ＡＤＤＲＥＳＳ、ＰＯＲＴ ＮＯ、ＭＯＮＩＴＯＲＩＮＧを入力する。
【００２７】
すると、本考案は、遠隔監視用アプリケーション４ａの作用で、監視項目４ａ１〜４ａ５に対応する指令がインターネット回線５を介して上記の数値制御装置２に送られる。数値制御装置２は、上記の指令を受けると、表示部２ａのデータを、インターネット回線５を介して携帯端末３に送信する。これにより、監視項目４ａ１〜４ａ５に対応する画面が、スマートフォンの表示画面３ａに映し出される。この表示画面３ａは、数値制御装置２の表示部２ａの表示内容と同じ内容である。
【００２８】
なお、この実施形態の本考案は、使用者が、表示画面３ａの所定の箇所をタップすると、表示画像を画像データとしてファイルに保存することができるよう構成されている。また使用者が、例えば上上下下左右左右ＢＡと入力すると、タレット監視機能、稼働状況アラーム監視機能、クーラント監視機能が働き、この種の項目を監視できるよう構成されている。
【００２９】
以上の処において、本考案は、工作機械１の監視に止まらず、遠隔操作できるよう構成されているのでも良い。
即ち、この実施形態の場合は、遠隔監視用アプリケーション４ａに、工作機械１の遠隔操作項目４ｂ（図１参照）が含まれている。遠隔操作項目４ｂは、遠隔監視用アプリケーション４ａがダウンロードされると、携帯端末３に表示されるものである。
【００３０】
そして使用者が、遠隔操作項目４ｂをタップすると、その遠隔操作項目４ｂに対応する遠隔操作指令が携帯端末３からインターネット回線５を介して数値制御装置２に送られる。数値制御装置２は、遠隔操作指令を受けると、演算制御部２ｃで表示部２ａに表示されるデータの変更指令に変換され、これにより携帯端末３を介して表示部２ａに表示されるデータが変更可能に構成されている。
【産業上の利用可能性】
【００３１】
本考案の装置は、遠隔監視用アプリケーション４ａをダウンロードし、インストールする、という簡単な操作で、工作機械１の稼働状況のデータを、遠隔地からインターネット回線５を介して携帯端末３で簡単、迅速に得ることができる。
【００３２】
従って、本考案の場合は、例えば加工工程の各種のデータを交換したり、或いは連携させ易くなる。それ故、これによれば、付加価値を創出し易くなり、ひいては、いわゆるビッグデータ化やＩｏＴ化の実現に寄与できるものである。
【符号の説明】
【００３３】
１      工作機械
２      数値制御装置
２ａ    表示部
３      携帯端末
４      アプリストア
４ａ    遠隔監視用アプリケーション
４ａ１〜４ａ５  監視項目
４ｂ    遠隔操作項目
５      インターネット回線
【図１】
0003232779.tif 000003
【図２】
0003232779.tif 000004
【図３】
0003232779.tif 000005